(57)【特許請求の範囲】
【請求項１】
セルラーテレコミュニケーションネットワークに移動管理プロトコル接続を確立するための方法において、
無線リソース制御ＲＲＣ接続が既に確立されたかどうかチェックし、そして
ＲＲＣ接続が既に確立されている場合には、その指示を移動管理接続設定情報に追加し、そしてＲＲＣ接続がまだ確立されていない場合には、移動管理プロトコル接続の確立を通常に続ける、
という段階を含むことを特徴とする方法。
【請求項２】
上記指示が追加された場合には、移動管理接続確立の完了を明確にシグナリングする請求項１に記載の方法。
【請求項３】
上記明確なシグナリングは、「ＣＭサービス受け入れ」メッセージを送信する段階を含む請求項２に記載の方法。
【請求項４】
セルラーテレコミュニケーションネットワークの移動管理プロトコル接続を解除するための方法において、
コアネットワーク要素と無線ネットワークコントローラとの間のＩｕ接続を解除し、
その後、少なくとも１つの他のＩｕ接続がまだアクティブであるかどうかチェックし、そして
少なくとも１つの他のＩｕ接続がまだアクティブである場合には、Ｉｕ接続の上記解除を明確に指示し、そして他のＩｕ接続がアクティブでない場合は、移動管理プロトコル接続の解除を通常に続ける、
という段階を含むことを特徴とする方法。
【請求項５】
上記解除を明確に指示する上記段階は、上記無線ネットワークコントローラから移動ステーションへメッセージを送信することを含む請求項４に記載の方法。
【請求項６】
上記明確な指示は、ＲＲＣ状態メッセージを送信する段階を含む請求項４に記載の方法。
【請求項７】
セルラーテレコミュニケーションネットワークにおいて動作でき且つ移動管理プロトコル接続を確立することができる装置において、
無線リソース制御（ＲＲＣ）接続が既に確立されたかどうかをチェックし、そして
ＲＲＣ接続が既に確立されている場合には、その指示を移動管理設定情報に追加し、そしてＲＲ接続が既に確立されていない場合には、移動管理プロトコル接続の確立を通常に続ける、
ように構成されたことを特徴とする装置。
【請求項８】
更に、上記指示が追加された場合には、移動管理プロトコル接続確立の完了についての明確なシグナリングを受け取るように構成されている請求項７に記載の装置。
【請求項９】
上記明確なシグナリングは、「ＣＭサービス受け入れ」メッセージを含む請求項８に記載の装置。
【請求項１０】
移動ステーションである請求項７または８または９に記載の装置。
【請求項１１】
セルラーテレコミュニケーション無線アクセスネットワークの装置であって、該セルラーテレコミュニケーション無線アクセスネットワークに接続された別の装置に関連した移動管理プロトコル接続を解除するための装置において、
上記別の装置に関連した少なくとも１つの他のＩｕ接続が、上記別の装置に関連し且つあるセルラーテレコミュニケーションコアネットワーク要素と確立しているような特定のＩｕ接続を解除するときにまだアクティブであるかどうかチェックし、
少なくとも１つの他のＩｕ接続がまだアクティブである場合には、上記別の装置に対して上記特定のＩｕ接続の解除を明確に指示し、そのようなアクティブなＩｕ接続が残されていない場合には、上記別の装置での解除手順を通常に続ける、
ように構成されたことを特徴とする装置。
【請求項１２】
上記解除を明確に指示するため、ＲＲＣ状態メッセージを送信するように構成されている請求項１１に記載の装置。
【請求項１３】
無線ネットワークコントローラである請求項１１または１２に記載の装置。
【請求項１４】
上記セルラーテレコミュニケーションコアネットワーク要素は、ＳＧＳＮ（サービスＧＰＲＳサポートノード）またはＭＳＣ（移動サービス交換センター）である請求項１１または１２または１３に記載の装置。
【請求項１５】
上記別の装置は、移動ターミナルである請求項１１から１４のうちのいずれか１項に記載の装置。
【請求項１６】
セルラーテレコミュニケーションネットワークにおいて移動管理プロトコル接続を確立するためのシステムであって、ネットワークエンティティと移動ステーションとを含むようなシステムにおいて、
上記移動ステーションは、上記セルラーテレコミュニケーションネットワークに向かう無線リソース制御（ＲＲＣ）接続が既に確立されたかどうかチェックし、ＲＲＣ接続が既に確立されている場合には、その指示を移動管理設定情報に追加し、ＲＲＣ接続がまだ確立されていない場合には、移動管理プロトコル接続の確立を通常に続けるように構成されており、
上記ネットワークエンティティは、上記指示が追加された場合には、上記移動ステーションに対して移動管理接続確立の完了についての明確なシグナリングを送信し、そのような指示が追加されない場合には、移動管理プロトコル接続の確立を通常に続けるように構成されている、
ことを特徴とするシステム。
【発明の詳細な説明】
【０００１】
【技術分野】
本発明は、セルラーテレコミュニケーションシステムにおける接続の制御に係り、より詳細には、接続の設定及び解除に係る。
【０００２】
【背景技術】
ここに使用する一般的な用語を明確にするために、あるセルラーテレコミュニケーションシステム構成の概要を以下に説明する。
第３世代システムの提案は、ＵＭＴＳ（ユニバーサル移動テレコミュニケーションズシステム）及びＦＰＬＭＴＳ／ＩＭＴ−２０００（２０００ＭＨｚの未来型公衆地上移動テレコミュニケーションズシステム／インターナショナル移動テレコミュニケーションズ）を含む。これらのプランにおいて、セルは、それらのサイズ及び特性に基づき、ピコセル、ナノセル、マイクロセル及びマクロセルに分類され、そしてサービスレベルは、例えば、ビットレートである。ビットレートは、ピコセルが最も高くそしてマクロセルが最も低い。セルは、部分的に又は完全に重畳してもよく、そして異なるターミナルがあってもよく、必ずしも全てのターミナルがセルにより提供される全てのサービスレベルを利用できるのではない。
【０００３】
図１は、既知のＧＳＭシステムに比して完全に新規なものではなく、既知の要素と完全に新規な要素の両方を含む未来型セルラー無線システムの形態を示している。現在のセルラー無線システムでは、より進歩したサービスがターミナルに提供されるのを防止するボトルネックは、ベースステーション及びベースステーションコントローラを含む無線アクセスネットワークＲＡＮより成る。セルラー無線システムのコアネットワークは、移動サービス交換センター（ＭＳＣ）、他のネットワーク要素（ＧＳＭでは、例えば、ＳＧＳＮ及びＧＧＳＮ、即ちサービスＧＰＲＳサポートノード及びゲートウェイＧＰＲＳサポートノード、ここで、ＧＰＲＳは、一般的パケット無線サービスを意味する）、及び関連送信システムを含む。例えば、ＧＳＭから開発されたＧＳＭ＋仕様書によれば、コアネットワークは、新たなサービスを提供することもできる。
【０００４】
図１において、セルラー無線システム２０のコアネットワークは、３つの並列な無線アクセスネットワークがリンクされたコアネットワークＣＮ９３１より成る。３つの並列な無線アクセスネットワークの中で、ネットワーク９３２及び９３３は、ＵＭＴＳ無線アクセスネットワークであり、そしてネットワーク９３４は、ＧＳＭ無線アクセスネットワークである。上部のＵＭＴＳ無線アクセスネットワーク９３２は、例えば、移動サービスを提供し全ての加入者に等しくサービスするテレコミュニケーションオペレータにより所有される商業用無線アクセスネットワークである。下部のＵＭＴＳ無線アクセスネットワーク９３３は、例えば、専用のもので、その無線アクセスネットワークが施設内で動作するところの会社により所有される。典型的に、専用無線アクセスネットワーク９３３のセルは、上記会社の従業員のターミナルしか動作できないナノセル及び／又はピコセルである。３つの全無線アクセスネットワークは、異なる形式のサービスを提供する異なるサイズのセルを有することができる。更に、３つの全無線アクセスネットワーク９３２、９３３及び９３４のセルは、完全に重畳してもよいし部分的に重畳してもよい。所定の瞬間に使用されるビットレートは、とりわけ、無線経路の状態、使用するサービスの特性、セルラーシステムの領域の全容量、及び他のユーザの容量の必要性に依存する。上述した新たな形式の無線アクセスネットワークは、ＵＭＴＳ地上無線アクセスネットワーク（ＵＴＲＡＮ）と称する。このようなネットワークは、異なる形式の固定コアネットワークＣＮと協働することができ、特に、ＧＳＭシステムのＧＰＲＳネットワークと協働することができる。ＵＭＴＳ地上無線アクセスネットワーク（ＵＴＲＡＮ）は、シグナリングメッセージを使用して互いに通信できるベースステーション（ＢＳ）及び無線ネットワークコントローラ（ＲＮＣ）のセットとして定義することができる。
【０００５】
図１に示すターミナル１０は、第２世代のＧＳＭターミナルとして、或いは各特定位置でどんな種類のサービスが利用できるか及びユーザの通信ニーズがどんなものであるかに基づく第３世代のＵＭＴＳターミナルとして働き得るいわゆる二重モードターミナルであるのが好ましい。又、利用できるサービス及びニーズに基づいて多数の異なる通信システムのターミナルとして機能し得るマルチモードターミナルでもよい。無線アクセスネットワーク及びユーザに利用できるサービスは、ターミナルに接続された加入者認識モジュール９３６（ＳＩＭ）において指定される。
【０００６】
図１は、更に、無線アクセスネットワークの構造を若干詳細に示している。無線アクセスネットワーク９３２、９３４は、通常、１つ以上のベースステーション９３７及び制御ユニット４２を備えている。ＵＭＴＳ無線アクセスネットワーク９３２、９３３では、制御ユニットは、無線ネットワークコントローラ（ＲＮＣ）と称され、そしてＧＳＭネットワーク９３４では、制御ユニットは、ベースステーションコントローラ（ＢＳＣ）と称される。又、無線アクセスネットワークは、通常、トランスコーダユニットのような他のネットワーク要素も含む。図１は、更に、移動ステーション１０の回路交換接続を基本的に制御する移動サービス交換センター（ＭＳＣ）４３と、移動ステーション１０のパケット交換接続を基本的に制御するサービスＧＰＲＳサポートノード（ＳＧＳＮ）４１とを示している。
【０００７】
セルラーテレコミュニケーションシステムでは、必要に応じて接続が設定されそしてリソースが指定され、必要でないときにそれらが解除される。移動ステーションが移動すると、システムに付加的な要求が課せられ、あるベースステーションから別のベースステーションへ接続を転送する必要が生じ、これは、ネットワークを通る接続ルートの実質的な変更をしばしば必要とする。このような機能を実行するのに必要な種々のネットワーク要素間の情報の交換は、移動管理（ＭＭ）プロトコル及び無線リソース制御（ＲＲＣ）プロトコルによって取り扱われる。移動管理プロトコルは、主として、移動ステーションをセルラーネットワーク内で移動でき且つセキュリティを確保できるメカニズムを取り扱う一方、ＲＲＣプロトコルは、主として、エアインターフェイスを経ての無線リソースの使用、移動ステーションとＢＳＣ／ＲＮＣとの間の接続、及びハンドオーバーの制御を取り扱う。ＲＲＣプロトコルの実行は、主として、移動ステーション及びＢＳＣ／ＲＮＣにより遂行される。インターＭＳＣハンドオーバーに関連した機能のようなＲＲＣプロトコルのある部分は、ＭＳＣにより実行される。ＭＭプロトコルの実行は、主として、移動ステーション及びＭＳＣにより遂行される。ＧＳＭシステムに使用されるプロトコルは、ミッシェル・モーリ及びマリー・バーナデッド・ポーテット著の文献「移動通信用のＧＳＭシステム(The GSM System for Mobile Communications)」、ＩＳＢＮ２−９５０７１９０−０−７、パライゼウ、１９９２年に詳細に説明されている。第３世代のセルラーネットワークの移動管理プロトコルは、例えば、特許出願ＷＯ９８／３７７２１号に開示されており、ここでは、例えば、専用の移動管理機能を各々有する多数のコアネットワークに無線アクセスネットワークが接続される状態において無線インターフェイスを経て送信されるＭＭメッセージの数を最小にすることに重点がおかれている。
【０００８】
原理的に、ＭＭ及びＲＲＣプロトコルは主として個別である。しかしながら、シグナリングを減少するために、ＭＭレベルにおける明確なメッセージを伴わずに、ＲＲＣレベルにおける事象の結果として多数のＭＭ機能が開始又は終了される。例えば、現在のＧＳＭシステムでは接続の解除中に、ＭＭプロトコルは、ＲＲＣレベルにおける無線リソースの解除に応答してその状態を「ネットワークコマンド待機」状態から「アイドル」状態へと変更する。それ故、ＲＲＣレベルにおける無線リソースの解除は、ＭＭレベルに対する制御信号として含蓄的に作用する。しかしながら、この解決策は、ＵＭＴＳシステムのような開発中の新規なセルラーシステムでは問題を引き起こす。これら問題の幾つかを、図２を参照して以下に説明する。
【０００９】
図２は、移動ステーション１０及びセルラーネットワーク２０、プロトコルの実行を取り扱う種々のエンティティ、例えば、移動ステーションのＭＭプロトコルエンティティ１１及びＲＲＣプロトコルエンティティ１２を示している。ネットワーク側では、それに対応するエンティティは、ＭＳＣにおけるＭＭプロトコルエンティティ２１及びＲＮＣにおけるＲＲＣプロトコルエンティティ２２である。ＭＭ及びＲＲＣエンティティは、通常、ＭＳ及びネットワーク要素の制御ユニットにおけるマイクロプロセッサのような処理ユニットにより実行されるソフトウェアプログラムを用いて実現される。
【００１０】
あるサービスは、ＭＳＣには関わりなく、それらの接続自体の移動管理を取り扱う。このようなサービスは、例えば、ＧＰＲＳサービスである。それらの独立した移動管理は、ＭＳＣにより実行されるＭＭプロトコルとは個別の更に別のＭＭプロトコルの実行を生じる。ＧＰＲＳでは、ＳＧＳＮは、それ自身のＭＭプロトコルを実行する。この第２のＭＭプロトコルは、それに対応するＭＭプロトコルエンティティ１３、２３をＭＳ及びＳＧＳＮに有する。しかしながら、１つのＲＲＣプロトコルしか使用されない。というのは、移動ステーションにより必要とされる全ての無線リソースの制御を単一プロトコルにおいて且つ無線接続の各端の単一制御エンティティにおいて行わせるのが効果的だからである。例えば、ＭＳＣを経ての接続に対して１つの暗号化モードを、そしてＳＧＳＮを経てのパケット接続に対して別の暗号化モードをネゴシエーションして使用するのではなく、移動ステーションの全ての送信に対して１つの暗号化モードしか使用しないのが効果的である。
【００１１】
１つのＲＲＣプロトコルしか使用されないので、ＲＲＣレベルにおける事象の含蓄的な意味に基づくＭＭレベルメカニズムは、２つのＭＭプロトコルが使用されるときには適切に機能しない。例えば、パケット送信ベアラは解除されるが、スピーチベアラがまだアクティブな場合には、少なくとも幾つかのＲＲＣ接続３０がまだ使用状態のままである。移動ステーションのパケット接続ＭＭエンティティ１３は、ＲＲＣ接続の解除をＭＭ接続３２、３４の解除の指示として観察することを期待するので、「ネットワークコマンド待機」状態に留まる。というのは、他のＭＭプロトコル１１、３１、３３、２１により制御される接続によってＲＲＣ接続がまだ使用されているからである。
【００１２】
接続の確立中にも問題が生じる。接続の設定中に、ＭＭプロトコルは、ターミナルを認証し、そしてエアインターフェイスを経ての暗号化モード通信の開始を制御する。例えば、スピーチ接続が既に使用中であるときにパケットデータ接続が設定される場合には、エアインターフェイスを経ての通信が既に暗号化されており、それ故、新たなパケット接続に対して暗号化が開始されない。しかしながら、ＭＳによる暗号化モードコマンドの受信は、ＭＭレベル接続の設定が首尾良く行われたという指示として解釈されるので、ＭＳ１０のＭＭエンティティ１３は、ＭＭレベル接続の設定の指示を受信しない。
【００１３】
【発明の開示】
本発明の目的は、上述した公知の問題を解消する接続制御方法を実現することである。本発明の別の目的は、ＲＲＣレベル事象の含蓄的な意味をＭＭレベル事象の制御に使用することのできる接続制御方法を実現することである。
これらの目的は、２つ以上のＭＭプロトコルがアクティブであるかどうかチェックする方法を実現することにより達成される。１つのＭＭプロトコルしかアクティブでない場合には、ＲＲＣレベル事象を使用して、ＭＭレベル事象を制御することができる。２つ以上のＭＭプロトコルがアクティブである場合には、それらのＭＭレベル事象に対して明確なシグナリングが使用され、これは、単一ＭＭプロトコルの場合には、ＲＲＣレベル事象によって含蓄的に制御される。
【００１４】
本発明による接続確立方法は、接続を確立するための独立請求項の特徴部分に記載したことを特徴とする。本発明による接続解除方法は、接続を解除するための独立請求項の特徴部分に記載したことを特徴とする。従属請求項は、本発明の更に別の効果的な実施形態を記述する。
本発明によれば、新たなＭＭ接続の設定中に、ＲＲＣ接続が既にアクティブであるかどうかチェックされる。ＲＲＣ接続が既にアクティブである場合には、明確なシグナリングが使用される。さもなくば、ＲＲＣレベル事象を使用して、ＭＭレベル事象を含蓄的に制御することができる。ＭＭ接続の解除中に、別のＭＭプロトコルがＲＲＣ接続を使用するかどうかチェックされ、もしそうであれば、ＭＭ接続の解除が明確にシグナリングされる。
【００１５】
【発明を実施するための最良の形態】
以下、同様のエンティティを同じ参照番号で示した添付図面を参照して本発明の好ましい実施形態を詳細に説明する。
図３は、本発明の効果的な実施形態による方法を示す。図３は、接続の設定中の事象を示す。最初に、ステップ１００において、例えば、移動ステーションのユーザが新たなサービスを要求することにより、設定手順が開始される。この新たなサービスは、例えば、インターネットをブラウズするためのパケットデータ接続であり、この場合に、ＭＳ側でＭＭ接続の設定を取り扱うＭＭエンティティは、ＭＳのパケットデータ制御ＭＭエンティティである。次のステップ１０５において、要求されたサービスを制御する移動ステーションのＭＭエンティティは、ＲＲＣレベル接続が既に確立されたかどうかチェックする。この点においてＲＲＣレベル接続が確立されない場合には、ＭＭ接続は、最初のＭＭ接続であり、ステップ１１５で続けられる通常のやり方で確立することができる。ＲＲＣレベル接続が既に確立された場合には、設定されるべき新たなＭＭ接続は、そのときの第２のＭＭ接続である。その結果、ＭＭエンティティは、ＲＲＣ接続の存在の指示を、ネットワークに送信されるべきＭＭ設定情報に含ませる。例えば、これは、設定メッセージの１つに新たなパラメータを追加することにより実現することができる。次のステップ１１５では、ＭＳのＭＭエンティティは、必要なＭＭ設定情報メッセージをネットワークへ送信し、これらのメッセージは、ステップ１２０において、ネットワーク側の対応ＭＭエンティティによって受信される。ネットワーク側のＭＭエンティティは、ステップ１２５において、ＲＲＣ接続の存在の指示が、受信したＭＭメッセージに含まれているかどうかチェックする。このような指示が見つからない場合には、接続の設定が通常に続けられる。このような指示が見つかった場合には、ネットワーク側のＭＭエンティティは、ステップ１３０において、ＭＳの対応ＭＭエンティティにこれらの事象について通知し、これは、１つのＭＭプロトコルしか使用されない場合には、ＲＲＣレベル事象によって含蓄的にシグナリングされる。例えば、このような事象は、ＭＭレベル接続の成功裡な確立である。通知段階１３０は、このような場合に、例えば、「ＣＭサービス受け入れ」メッセージを送信することによりＭＭ接続確立を明確に確認することであってもよい。通知段階は、ＭＭ接続の設定中にもっと後で行われてもよいし、或いは例えば、接続の設定後に行われてもよい。
【００１６】
図４は、本発明の効果的な実施形態による方法の別の例を示している。この例は、接続の解除中の事象を示す。これらの事象は、例えば、移動ステーションとＣＮ要素との間の接続が解除されるときに生じ得る。第１ステップ２０５では、コアネットワーク要素がそれ自身とＲＮＣとの間の接続、即ちＩｕインターフェイス接続を解除する。次のステップ２１０では、ＲＮＣのＲＲＣプロトコル制御エンティティは、別のＣＮ要素への他のＩｕ接続が残っているかどうかチェックする。別のＣＮ要素へのＩｕ接続が残っている場合には、少なくとも１つの他のＭＭプロトコルがアクティブであり、この場合に、ＲＮＣのＲＲＣエンティティは、ステップ２１５において、解除されるＩｕ接続が解除されていることをＭＳに指示する。この通知は、例えば、ＲＲＣ状態メッセージのような特定のメッセージをＭＳに送信することにより実現できる。このメッセージの受信は、ＭＳのＭＭエンティティに、ステップ２２５においてそれが「アイドル」状態に入れることを指示する。ステップ２１０において他のＩｕ接続が残っていることが見つからない場合には（この場合、アクティブなＭＭプロトコルが１つしかない）、ＲＲＣエンティティがステップ２２０においてＲＲＣ接続を解除し、これは、ＭＳのＭＭエンティティに、それがステップ２２５において「アイドル」状態に入れることを含蓄的に指示する。
【００１７】
図５は、本発明の効果的な実施形態による方法の更に別の例を示している。この例では、ＭＳは、あるＣＮ要素へのアクティブな接続、例えば、ＭＳＣへのスピーチ接続を有し、その間に、ＭＳは、アイドル状態のＭＭエンティティ、例えば、ＳＧＳＮのＭＭエンティティへの位置エリア（ＬＡ）更新を実行する。ステップ２５０においてＭＳは位置エリア更新を実行し、その間に、他の手順ステップの中で、ＲＮＣとＳＧＳＮとの間のＩｕ接続が形成される。ＬＡの更新が実行された後に、パケット接続ＭＭエンティティは、ステップ２５５において、「ネットワークコマンド待機」状態に入り、ここから、公知技術に基づきＲＲＣ接続の解除に応答して「アイドル」状態に入らねばならない。次のステップ２０５では、ＳＧＳＮがそれ自身とＲＮＣとの間の接続、即ちＩｕインターフェイス接続を解除する。次のステップ２１０では、ＲＮＣのＲＲＣプロトコル制御エンティティは、別のＣＮ要素への他のＩｕ接続が残っているかどうかチェックする。別のＣＮ要素へのＩｕ接続が残っている場合には、少なくとも１つの他のＭＭプロトコルがアクティブであり、この場合、ＲＮＣのＲＲＣエンティティは、ステップ２１５において、解除されるＩｕ接続が解除されていることをＭＳに指示する。この通知は、例えば、ＭＳに特定のメッセージを送信することにより実現できる。メッセージの受信は、ＭＳのＭＭエンティティに、それがステップ２２５において「アイドル」状態に入れることを指示する。ステップ２１０において他のＩｕ接続が残っていることが見つからない場合には（この場合に、アクティブなＭＭプロトコルは１つしかない）、ＲＲＣエンティティがステップ２２０においてＲＲＣ接続を解除し、これは、ＭＳのＭＭエンティティに、それがステップ２２５において「アイドル」状態に入れることを含蓄的に指示する。
【００１８】
更に別の効果的な例においては、図５に示したものと実質的に同様の方法が、「デタッチ」手順と共に使用される。
本発明は、単一の無線シグナリングベアラ、即ち２つ以上の個別のＭＭプロトコルが実行される場合のＲＲＣ接続の使用を明らかにする。本発明は、２つ以上の個別のＭＭプロトコルが使用される場合にも、ＲＲＣレベル事象を使用して、ＭＭレベル事象に信号を含蓄的に与えることができるようにする。それ故、１つのＭＭプロトコルの使用しかサポートしない現在のＧＳＭ移動ステーションであっても、たとえ無線アクセスネットワークがスピーチ及びパケットデータサービスの同時使用をサポートし、ひいては、２つのＭＭプロトコルの使用をサポートしても、ＵＭＴＳシステムのＧＳＭ型無線アクセスネットワークと通常のやり方で通信することができる。
【００１９】
上記例では、接続の設定及び解除を個別の例として別々に説明したが、本発明は、これらの例に限定されるものではない。本発明のある実施形態では、本発明によるシグナリングが接続の設定及び解除の両方に使用される。例えば、スピーチ接続がアクティブである間にパケットデータ接続を設定し、使用しそして解除することができる。このような実施形態では、本発明によるシグナリング方法は、パケットデータ接続の設定及び解除に使用することができる。
以上の説明に鑑み、当業者であれば、本発明の範囲内で種々の変更が明らかとなろう。本発明の好ましい実施形態を詳細に述べたが、多数の変更や修正が明らかであろう。
【図面の簡単な説明】
【図１】  ＵＭＴＳシステムの構造の一例を示す図である。
【図２】  移動通信手段及びネットワークにおける種々のプロトコルエンティティを示す図である。
【図３】  本発明の効果的な実施形態による方法を示す図である。
【図４】  本発明の効果的な実施形態による方法の別の例を示す図である。
【図５】  本発明の効果的な実施形態による方法の更に別の例を示す図である。
【図１】
0003727539.tif 000002
【図２】
0003727539.tif 000003
【図３】
0003727539.tif 000004
【図４】
0003727539.tif 000005
【図５】
0003727539.tif 000006